(57)【要約】  ポンプ監視サーバのサーバ制御部は、計時部によって送液時間の計時が開始されてから第１の所定時間内にポンプから、医療従事者によって確認されたポンプの状態を受信した場合に、ポンプの状態を、ポンプの状態が確認された時間と共に記録部に記録する。一方、サーバ制御部は、計時部によって送液時間の計時が開始されてから第１の所定時間を超えてもポンプからポンプの状態を受信しない場合に、医療従事者にポンプの確認を促す。
2016152238.tif 000002
【特許請求の範囲】
【請求項１】
患者に薬剤を送液するポンプと、前記ポンプの状態を監視するポンプ監視サーバと、を備え、
前記ポンプは、
医療従事者によって確認された前記ポンプの状態を前記ポンプ監視サーバに送信するポンプ制御部を備え、
前記ポンプ監視サーバは、
前記ポンプの送液時間を計時する計時部と、
前記送液時間の計時が開始されてから第１の所定時間内に前記ポンプから前記ポンプの状態を受信した場合に、前記ポンプの状態を、前記ポンプの状態が確認された時間と共に記録部に記録し、前記送液時間の計時が開始されてから第１の所定時間を超えても前記ポンプから前記ポンプの状態を受信しない場合に、前記医療従事者に前記ポンプの確認を促すサーバ制御部と、を備える
ポンプ監視システム。
【請求項２】
前記サーバ制御部は、前記医療従事者に前記ポンプの確認を促した後、第２の所定時間内に前記ポンプから前記ポンプの状態を受信しない場合に前記ポンプの確認を促す前記医療従事者の範囲を段階的に広げる
請求項１に記載のポンプ監視システム。
【請求項３】
前記サーバ制御部は、前記ポンプの送液開始が通知されると前記計時部に前記送液時間の計時を開始させ、前記ポンプから前記ポンプの状態を受信すると、前記計時部に前記送液時間を解除させた後、前記計時を再開させる
請求項１又は２に記載のポンプ監視システム。
【請求項４】
さらに、前記医療従事者が集まるエリアに設置される表示端末を備え、
前記表示端末は、前記患者が収容される病室のレイアウト、及び前記病室に設置される前記ポンプの状態を表示する
請求項１〜３のいずれか１項に記載のポンプ監視システム。
【請求項５】
さらに、前記患者が収容される病室に設置される表示端末を備え、
前記表示端末は、前記病室に設置される前記ポンプのレイアウト、及び前記ポンプの状態を表示する
請求項１〜３のいずれか１項に記載のポンプ監視システム。
【請求項６】
前記ポンプは、前記医療従事者のユーザ識別情報を読み取る読み取り部を備え、
前記ポンプ制御部は、前記ポンプの状態と共に前記ユーザ識別情報を前記ポンプ監視サーバに送信し、
前記サーバ制御部は、受信した前記ユーザ識別情報を前記ポンプの状態と共に前記記録部に記録する
請求項１〜５のいずれか１項に記載のポンプ監視システム。
【請求項７】
前記読み取り部は、前記ユーザ識別情報が格納された記憶媒体より、無線通信により前記ユーザ識別情報を読み取り、
前記ポンプは、前記医療従事者が前記ポンプの状態を確認したことを入力するためのユーザインタフェース部を備える
請求項６に記載のポンプ監視システム。
【請求項８】
さらに、複数の前記ポンプが装着されるラックを備え、
前記ラックは、装着された複数の前記ポンプから前記ポンプの状態と、前記ユーザ識別情報を前記ポンプ監視サーバに送信するラック制御部を備える
請求項１〜７のいずれか１項に記載のポンプ監視システム。
【請求項９】
患者に薬剤を送液するポンプの送液時間を計時する計時部と、
前記送液時間の計時が開始されてから第１の所定時間内に前記ポンプから、医療従事者によって確認された前記ポンプの状態を受信した場合に、前記ポンプの状態を、前記ポンプの状態が確認された時間と共に記録部に記録し、前記送液時間の計時が開始されてから第１の所定時間を超えても前記ポンプから前記ポンプの状態を受信しない場合に、前記医療従事者に前記ポンプの確認を促すサーバ制御部と、を備える
ポンプ監視サーバ。
【発明の詳細な説明】
【技術分野】
【０００１】
本発明は、例えば、ポンプの状態を監視するためのポンプ監視システム及びポンプ監視サーバに関する。
【背景技術】
【０００２】
病院等の医療現場では、薬剤を患者の体内に投与するためのポンプとして、輸液ポンプやシリンジポンプ等の医療用ポンプが用いられている。一般に、これらの医療用ポンプは、１種類の薬剤を送液するために用いられる。このため、手術室や集中治療室などにおいて複数種類の薬剤を同時に患者に投与する場合には、薬剤の種類に応じた数の医療用ポンプが必要となってくる。【０００３】
一人の患者に複数のポンプが用いられた場合であっても、各ポンプが異なるタイミング、流量等で複数種類の薬剤を送液することが可能である。そして、医療従事者（例えば、ナース）は、ポンプが送液する薬剤の流量が所定の範囲を超えたり、薬剤が不足したりしないようにポンプの状態（ポンプが送液する薬剤名、流量、送液済量等）を監視していた。しかし、医療従事者が各ポンプの傍に待機して、常にポンプの状態を確認することは困難であるため、複数のポンプの状態を監視するポンプ監視システムが検討されていた。【０００４】
特許文献１には、サーバが、医療機器から隔離されたコンピューティングシステムに、医療機器についての保守を実行するリマインダを含む医療機器保守スケジュールを格納し、コンピューティングシステムから医療機器にリマインダを送信することが開示されている。
【先行技術文献】
【特許文献】
【０００５】
【特許文献１】特開２０１４−６９１５号公報
【発明の概要】
【発明が解決しようとする課題】
【０００６】
従来、ポンプが送液を行っている間は、医療従事者が定期的に病室を巡回して、ポンプの状態を確認していた。医療従事者が確認したポンプの状態は、シリンジや輸液バッグにペンで書込むマーキング、個人のメモ書き等によって記録されることが多かった。このため、他の医療従事者との間でポンプの確認結果が共有されず、医療従事者は他の医療従事者がポンプを確認した時間を把握しづらかった。また、医療従事者毎にポンプの監視間隔が管理されていると、ポンプの確認が遅れることがあった。【０００７】
特許文献１に開示された技術は、保守スケジュールに従って保守イベントが発生したときにポンプのユーザにリマインダを送信するに過ぎない。このため、特許文献１に開示されたコンピューティングシステムはポンプの確認がされたかどうかを把握しておらず、依然としてポンプの状態を統一的に管理できていなかった。【０００８】
本発明はこのような状況に鑑みて成されたものであり、ポンプの状態を効率的に確認できるようにすることを目的とする。
【課題を解決するための手段】
【０００９】
本発明に係るポンプ管理システムは、患者に薬剤を送液するポンプと、ポンプの状態を監視するポンプ監視サーバと、を備える。
ポンプは、医療従事者によって確認されたポンプの状態をポンプ監視サーバに送信するポンプ制御部を備える。
ポンプ監視サーバは、ポンプの送液時間を計時する計時部と、サーバ制御部と、を備える。サーバ制御部は、計時部によって送液時間の計時が開始されてから第１の所定時間内にポンプからポンプの状態を受信した場合に、ポンプの状態を、ポンプの状態が確認された時間と共に記録部に記録する。一方、サーバ制御部は、計時部によって送液時間の計時が開始されてから第１の所定時間を超えてもポンプからポンプの状態を受信しない場合に、医療従事者にポンプの確認を促す。
【発明の効果】
【００１０】
本発明によれば、医療従事者によって確認されたポンプの状態は、ポンプ監視サーバによって統一的に管理される。そして、ポンプ監視サーバは、ポンプの状態が所定時間内に確認されていなければ、医療従事者にポンプの確認を促すため、ポンプの状態を効率的に管理することができる。
上記した以外の課題、構成及び効果は、以下の実施の形態例の説明により明らかにされる。
【図面の簡単な説明】
【００１１】
【図１】本発明の第１の実施の形態例に係るポンプ監視システムの全体構成例を示すブロック図である。
【図２】本発明の第１の実施の形態例に係るポンプ監視システムの各部の処理例を示すシーケンス図である。
【図３】本発明の第１の実施の形態例に係る中央監視画面の表示例を示す画面構成図である。
【図４】本発明の第２の実施の形態例に係るポンプ監視システムの全体構成例を示すブロック図である。
【図５】本発明の第２の実施の形態例に係るポンプ監視システムの各部の処理例を示すシーケンス図である。
【図６】本発明の第２の実施の形態例に係る個別監視画面の表示例を示す画面構成図である。
【発明を実施するための形態】
【００１２】
［１．第１の実施の形態例］
以下、本発明の第１の実施の形態例に係るポンプ監視システム及びポンプ監視サーバについて、図１〜図３を参照して説明する。本明細書及び図面において、実質的に同一の機能又は構成を有する構成要素については、同一の符号を付することにより重複する説明を省略する。
【００１３】
図１は、ポンプ監視システム１の全体構成例を示すブロック図である。
【００１４】
ポンプ監視システム１は、院内ネットワークＮに相互に接続された、医療用のポンプ２Ａ〜２Ｃ、医療用のポンプ２Ｄ〜２Ｆが装着される専用架台３（「ラック」とも呼ぶ。）、モニタ端末４、ポンプ監視サーバ５、看護支援システム６及びナースコールシステム７を備える。
【００１５】
ポンプ２Ａ〜２Ｃはそれぞれ単独で、ポンプ２Ｄ〜２Ｆは専用架台３を通じて、無線又は有線ＬＡＮ（Local Area Network）によって構成される院内ネットワークＮに接続される。モニタ端末４、ポンプ監視サーバ５、看護支援システム６及びナースコールシステム７は、有線ＬＡＮによって構成される院内ネットワークＮに接続される。
【００１６】
ポンプ２Ａは、ポンプ通信部２１、ポンプ制御部２２、ユーザインタフェース部２３、ＮＦＣ（Near Field Communication）リーダ部２４、センサ部２５、駆動部２６を備え、患者に薬剤を送液する。以下の説明では、ポンプ２Ａの構成例及び動作例を説明し、ポンプ２Ａと同様の構成であるポンプ２Ｂ〜２Ｆについては詳細な説明を省略する。また、ポンプ２Ａ〜２Ｆを区別しない場合には、「ポンプ２」と総称する。
【００１７】
ポンプ通信部２１は、ポンプ制御部２２が院内ネットワークＮに送信するデータを変換し、又は院内ネットワークＮから受信するデータを変換する通信インタフェースとして用いられる。ポンプ通信部２１が行う通信は、数分毎、又はポンプ制御部２２がポンプ監視サーバ５との間で各種のデータを送受信するタイミングで開始される。また、ポンプ通信部２１は、専用架台３のポンプインタフェース制御部３３と赤外線通信を行うことが可能である。
【００１８】
ポンプ制御部２２は、ＲＯＭ，ＲＡＭ等を含み、ポンプ２Ａ内の各部の動作の処理、判断、制御を行う。このポンプ制御部２２は、ポンプ２Ａの状態、ポンプ２Ａを確認した医療従事者のユーザ識別情報を、ポンプ通信部２１を通じてポンプ監視サーバ５に送信する。ここで、ポンプ２Ａの状態には、ポンプ２Ａの送液状態（例えば、送液中又は停止中の区別）、送液される薬剤名、流量、投与済量（積算量）、投与予定量、残り薬剤量等が含まれる。
【００１９】
ユーザインタフェース部２３は、例えば、ポンプ２の側面に取付けられたタッチパネルである。医療従事者等は、ユーザインタフェース部２３に対する操作入力によりポンプ２Ａの動作を設定することができる。また、ユーザインタフェース部２３にはポンプ２Ａの現在の動作状況、残り薬剤量等が表示される。また、ユーザインタフェース部２３は、ポンプ２Ａの筐体に設けられ、医療従事者がポンプ２の状態を確認したことを入力するための確認ボタンである。医療従事者がポンプ２Ａの確認を行った後に確認ボタンを押すと、ポンプ制御部２２によって確認情報がポンプ監視サーバ５に送信される。その後、ポンプ制御部２２によってポンプ２Ａの状態がポンプ監視サーバ５に送信される。
【００２０】
ＮＦＣリーダ部２４は、医療従事者等が所持する名札又は携帯端末（例えば、ＰＨＳ（Personal Handy-phone System）、スマートフォン）に内蔵されるＮＦＣタグ（記憶媒体の一例）と近接無線通信を行い、ＮＦＣタグから医療従事者のユーザ識別情報を読み取る読み取り部の一例として用いられる。ＮＦＣリーダ部２４が読み取ったユーザ識別情報は、ポンプ制御部２２に送信される。ポンプ制御部２２は、ＮＦＣリーダ部２４がＮＦＣタグから読み取ったユーザ識別情報と読み取り時刻とを、院内ネットワークＮを介してポンプ監視サーバ５に送信する。
【００２１】
センサ部２５は、薬剤が封入された輸液バッグに接続された輸液チューブ又は薬剤が封入されたシリンジがポンプ２Ａの所定位置に装着されたかどうかを検知する。センサ部２５がポンプ２Ａに輸液チューブ又はシリンジが装着されたことを検知した情報は、ポンプ制御部２２に送信される。ポンプ制御部２２は、ポンプ２Ａに輸液チューブ又はシリンジが装着された時間を管理する。
【００２２】
駆動部２６は、ポンプ２Ａが輸液ポンプであれば、例えば、送液用の複数のフィンガーが順次に輸液チューブを押すこと（いわゆる蠕動式）によりチューブ内の薬剤を送出する。また、ポンプ２Ａがシリンジポンプであれば、シリンジの押し子を押す。駆動部２６が輸液ポンプ又はシリンジから送液した薬剤量は、ポンプ制御部２２が駆動部２６の移動距離等によって演算することが可能である。
【００２３】
次に、専用架台３の構成例及び動作例について説明する。
専用架台３は、ラック通信部３１、ラック制御部３２、ポンプインタフェース制御部３３を備える。そして、専用架台３には、ポンプ２Ｄ〜２Ｆが装着されている。
【００２４】
ラック通信部３１は、ラック制御部３２が院内ネットワークＮに送信するデータを変換し、又は院内ネットワークＮから受信するデータを変換する通信インタフェースとして用いられる。
【００２５】
ラック制御部３２は、ＲＯＭ，ＲＡＭ等を含み、専用架台３内の各部の動作の処理、判断、制御を行うと共に、専用架台３に装着されたポンプ２Ｄ〜２Ｆの動作状況を把握する。そして、ラック制御部３２は、ポンプ２Ｄ〜２Ｆからポンプ２Ｄ〜２Ｆの状態と、ポンプ２Ｄ〜２Ｆを確認した医療従事者のユーザ識別情報とをポンプ監視サーバ５に送信する。
【００２６】
ポンプインタフェース制御部３３には、ポンプ２Ｄ〜２Ｆが接続されている。専用架台３にポンプ２Ｄ〜２Ｆが装着されると、ポンプ２Ｄ〜２Ｆのポンプ通信部２１と、専用架台３のポンプインタフェース制御部３３とが赤外線通信による無線接続を行う。その後、ポンプインタフェース制御部３３は、ポンプ２Ｄ〜２Ｆが専用架台３に確実に装着されたか否かを判断する。そして、ポンプインタフェース制御部３３は、ポンプ２Ｄ〜２Ｆが専用架台３に装着されたと判断した場合に、専用架台３に装着されたポンプ２Ｄ〜２Ｆから受信する各種データをラック制御部３２に送信したり、ラック制御部３２から受信する制御指示をポンプ２Ｄ〜２Ｆに送信したりする制御を行う。
【００２７】
次に、モニタ端末４の構成例及び動作例について説明する。
モニタ端末４は、モニタ通信部４１及び表示部４２を備え、表示端末の一例として用いられる。このモニタ端末４は、例えば、ナースステーションのような医療従事者が集まるエリアに設置されており、患者が収容される病室のレイアウト、及び病室に設置されるポンプ２の状態を表示する。このため、医療従事者は、モニタ端末４を通じてポンプ２の状態を監視することができる。
【００２８】
モニタ通信部４１は、院内ネットワークＮに接続され、院内ネットワークＮから受信したデータを表示部４２に送信する。
表示部４２は、モニタ通信部４１から受信したデータを表示する。この表示部４２には、例えば、液晶ディスプレイが用いられており、中央監視画面（後述する図３を参照。）が表示される。
【００２９】
次に、ポンプ監視サーバ５の構成例及び動作例について説明する。
ポンプ監視サーバ５は、サーバ通信部５１、サーバ制御部５２、記録部５３、計時部５４、ポンプ識別部５５及びユーザ識別部５６を備えており、ポンプ２の状態を監視することができる。
【００３０】
サーバ通信部５１は、サーバ制御部５２が院内ネットワークＮに送信するデータを変換し、又は院内ネットワークＮから受信するデータを変換する通信インタフェースとして用いられる。
【００３１】
サーバ制御部５２は、ＲＯＭ，ＲＡＭ等を含み、ポンプ監視サーバ５内の各部の動作の処理、判断、制御を行う。また、サーバ制御部５２は、ポンプ２からポンプ２の状態を示す各種情報を受信する。そして、サーバ制御部５２は、ポンプ識別部５５から受信したポンプ識別情報、ユーザ識別部５６から受信したユーザ識別情報に基づいて、いつ誰がどのポンプ２を確認したかといった情報を記録部５３に記録すると共に、看護支援システム６に確認結果を送信する。また、サーバ制御部５２は、計時部５４から受信したタイマーと、ポンプ２から受信したＮＦＣリーダ部２４の読み取り時刻との差に基づいて、医療従事者にポンプ２の確認を指示するアラームメッセージをポンプ２及びモニタ端末４に発報する。サーバ制御部５２の処理の具体例については図２にて後述する。
【００３２】
記録部５３は、医療従事者が確認したポンプ２のポンプ識別情報、医療従事者のユーザ識別情報、ＮＦＣリーダ部２４の読み取り時刻等の確認結果を、ポンプ２の確認履歴として記録する。記録部５３としては、例えば、ＨＤＤ（Hard disk drive）等の大容量記録媒体が用いられる。
【００３３】
計時部５４は、ポンプ２が薬剤の送液を開始すると、サーバ制御部５２の制御により、ポンプ２毎にタイマー（送液時間）の計時を自動的に開始する。第１の所定時間は、例えば、５〜１０分程度の間で各病棟，病室，看護師等の勤務シフトに応じて資格を有する者が任意に設定、変更入力できるようになっている。また、計時部５４は、ポンプ２毎に、医療従事者が直近にポンプ２を確認した時刻からどれだけの時間が経過したかを計時する。そして、計時部５４は、サーバ制御部５２がポンプ２からポンプ２の状態を受信すると、サーバ制御部５２によってタイマーを解除（リセット）した後、タイマーの計時を再開する。
【００３４】
ポンプ識別部５５は、ポンプ２を識別するためにポンプ２毎に一意に割り振られるポンプ識別情報を保持している。そして、医療従事者が確認したポンプ２がどの病室の誰に用いられているかを示すポンプ識別情報を、サーバ制御部５２に送信する。
ユーザ識別部５６は、医療従事者のユーザ識別情報を保持しており、ポンプ２を確認した医療従事者のユーザ識別情報を、サーバ制御部５２に送信する。
【００３５】
看護支援システム６は、ポンプ監視サーバ５から受信した、医療従事者がポンプ２を確認した時刻、ポンプ２の送液量等を不図示の記録部に記録し、他の医療従事者に記録した内容を示すことができる。また、医療従事者が看護支援システム６に接続された不図示のＰＣ（Personal Computer）等を操作することにより、患者のリアルタイムの生体情報として、例えば、体温を測った時刻、体温等をタイムスタンプとして入力することもできる。
【００３６】
ナースコールシステム７は、ポンプ２の確認が予定通りに行われていない場合、又はポンプ２に異常が発生した場合等に、医療従事者にアラームを発報する。また、ナースコールシステム７は、医療従事者の所属等を不図示の記録部に記録して管理しており、確認が促された医療従事者の確認が所定時間を経過しても行われない場合には、医療従事者が所属するチーム内のメンバー等にアラームを発報することもできる。
【００３７】
なお、ポンプ制御部２２、ラック制御部３２、サーバ制御部５２として、例えば、ＣＰＵ（Central Processing Unit）が用いられる。また、ポンプ通信部２１、ラック通信部３１、モニタ通信部４１、サーバ通信部５１として、例えば、ＮＩＣ（Network Interface Card）等が用いられる。
【００３８】
＜ポンプ監視システムの処理例＞
図２は、ポンプ監視システム１の各部の処理例を示すシーケンス図である。図２では、ポンプ制御部２２をポンプ２と読み替え、サーバ制御部５２をポンプ監視サーバ５と読み替えて説明を行う。
【００３９】
始めに、通常時の処理について説明する。
ポンプ２は、薬剤の送液を開始すると、ポンプ監視サーバ５に対して、ポンプ２の送液開始を通知する（Ｓ１）。ポンプ監視サーバ５は、ポンプ２から送液開始が通知されると、計時部５４にタイマーの計時を開始させる（Ｓ２）。そして、ポンプ監視サーバ５は、計時部５４が計時したタイマーを監視する。
【００４０】
医療従事者がポンプ２の動作確認を実施し、確認ボタンを押すと、ポンプ２からポンプ監視サーバ５にユーザ識別情報、ＮＦＣリーダ部２４によるユーザ識別情報の読み取り時刻、ポンプ２の確認情報が送信される（Ｓ３）。ポンプ監視サーバ５は、計時部５４によるタイマーの計時が開始されてから第１の所定時間（例えば、２時間）内に確認情報を受信すれば、計時部５４によるタイマーを解除（リセット）させる（Ｓ４）。その後、ポンプ監視サーバ５は、計時部５４にタイマーの計時を再開させる。
【００４１】
次に、ポンプ監視サーバ５は、ポンプ２に対して、ポンプ２の状態の送信を要求する（Ｓ５）。この要求を受けたポンプ２は、ポンプ監視サーバ５にポンプ２の状態を送信する（Ｓ６）。
【００４２】
ポンプ監視サーバ５は、ポンプ２の状態を受信すると、ポンプ２の状態を、ポンプ２の状態が確認された時間（すなわちユーザ識別情報の読み取り時刻）と共に記録部５３に記録する。そして、ポンプ監視サーバ５は、ポンプ２の状態が正常又は異常であるかどうかを確認する。
【００４３】
その後、ポンプ監視サーバ５は、看護支援システム６にポンプ２の状態の確認結果、例えば、ポンプ２の状態が確認された時間、薬剤の投与済量（積算量）等を送信し（Ｓ７）、モニタ端末４にポンプ２の状態を表示させる（Ｓ８）。看護支援システム６は、確認結果に従って所定の処理を行う。ポンプ２が送液をしている間、ステップＳ２〜Ｓ８の処理が繰り返される。
【００４４】
次に、タイマーのタイムアウト発生時の処理について説明する。
上述したように医療従事者がポンプ２の動作を確認すると、ポンプ監視サーバ５がタイマーを解除した後、計時部５４によるタイマーの計時を再開する（Ｓ９）。その後、ポンプ監視サーバ５は、タイマーが前述の第１の所定時間を超えても医療従事者によるポンプ２の確認が行われなければ、ポンプ２から確認情報を受信できないので、タイマーのタイムアウト発生と判断する（Ｓ１０）。
【００４５】
このとき、ポンプ監視サーバ５は、モニタ端末４にアラームメッセージを表示させ（Ｓ１１）、医療従事者にポンプ２の確認を促す。モニタ端末４に表示されるアラームメッセージは、例えば、「ポンプの確認をしてください。」というものである。また、ポンプ監視サーバ５は、ポンプ２のユーザインタフェース部２３にもアラームメッセージを表示させる（Ｓ１２）。ユーザインタフェース部２３に表示されるアラームメッセージは、例えば、「確認してください。」というものである。
【００４６】
さらに、ポンプ監視サーバ５は、医療従事者にポンプ２の確認を促した後、ナースコールシステム７に対して巡回通知を行う（Ｓ１３）。ナースコールシステム７は、医療従事者が持つ携帯端末に、ポンプ２の監視を促すメッセージを送信する（Ｓ１４）。
【００４７】
ポンプ監視サーバ５は、ステップＳ１３の巡回通知を行っても、医療従事者によるポンプ２の確認が行われない場合、すなわち、第２の所定時間（例えば、好ましくは第１の所定時間よりも１．５〜２倍程度である１５分間程度）内にポンプ２からポンプ２の状態を受信しない場合にポンプ２の確認を促す医療従事者の範囲を段階的に広げるエスカレーションによる巡回通知を行う（Ｓ１５）。エスカレーションによる巡回通知は、ナースコールシステム７によって、ポンプ２を確認すべき医療従事者が所属するチームに行われる。このチーム内の医療従事者がいずれもポンプ２の確認を行わなかった時には、ポンプ監視サーバ５は、さらに巡回通知を行う医療従事者の対象範囲を広げる。これにより医療従事者が確実にポンプ２を確認することとなる。
【００４８】
図３は、中央監視画面Ｄ１の表示例を示す画面構成図である。
【００４９】
中央監視画面Ｄ１は、モニタ端末４の表示部４２に表示される。中央監視画面Ｄ１は、病室レイアウト１０１と、ポンプ状態表示欄１１０によって構成されている。
【００５０】
病室レイアウト１０１には、病室アイコン１０２によって識別される病室の配置が示されている。そして、病室アイコン１０２には、病室名（例えば、ＩＣＵ０１−１）、患者名（例えば、○○太郎）の他、その病室で用いられているポンプ２の状態を表す状態アイコン１０３が示されている。この状態アイコン１０３には、病室名がＩＣＵ０１−１である病室において、シリンジ外れの異常が生じていることが示される。また、病室名がＩＣＵ０３−１である病室の状態アイコン１０３には、薬剤の投与残り時間（例えば、「００：１０」）が示される。医療従事者が病室アイコン１０２をクリックすると、クリックされた病室アイコン１０２に対応する個別監視画面Ｄ２（後述する図６を参照。）をモニタ端末４に表示することもできる。
【００５１】
ポンプ状態表示欄１１０には、病室毎に設置されたポンプ２の状態アイコン１０３と共に、ポンプ２の詳細な状態を示すポンプアイコン１１１が一覧表示されている。例えば、病室名がＩＣＵ０１−１であるポンプアイコン１１１には、病室レイアウト１０１に示された状態アイコン１０３と共に、「シリンジ外れ」であることが示されている。また、病室名がＩＣＵ０３−１であるポンプアイコン１１１には、ポンプ２が送液している薬剤の薬剤名１１２、投与残り時間１１３、流量１１４が示されている。このため、医療従事者は、中央監視画面Ｄ１を見るだけで、各病室で使用されているポンプ２の状態を把握しやすくなる。
【００５２】
以上説明した第１の実施の形態例に係るポンプ監視サーバ５は、計時部５４によって計時されたタイマーが第１の所定時間を超えても医療従事者によるポンプ２の確認が行われなければ医療従事者にポンプ２の確認を促すメッセージを、ポンプ２のユーザインタフェース部２３とモニタ端末４に表示させる。これにより医療従事者はポンプ２の確認を速やかに行うようになり、ポンプ２の確認漏れを防ぐことができる。
【００５３】
また、医療従事者が確認ボタンを押す操作だけで、医療従事者がポンプ２の確認を行ったことがポンプ監視サーバ５に記録される。このため、他の医療従事者との間でポンプ２の状態管理を効率的に統一して行うことが可能となる。
【００５４】
また、ポンプ監視サーバ５は、医療従事者にポンプ２の確認を促した後、第２の所定時間を超えてもポンプ２の確認が行われなければ、ポンプ２の確認を促す対象をエスカレーションする。これによりポンプ２の確認をすべき医療従事者が所属するチーム等に未だポンプ２の確認が行われていないことが示されるため、より確実にポンプ２の確認がなされ、処置の遅れを減らすことができる。
【００５５】
なお、ポンプ２のユーザインタフェース部２３のタッチパネルに確認ボタンを表示させてもよい。そして、医療従事者がポンプ２を確認すると、タッチパネルに表示された確認ボタンを押すことで、ポンプ制御部２２がポンプ２の状態をポンプ監視サーバ５に送信するようにしてもよい。
【００５６】
［２．第２の実施の形態例］
次に、本発明の第２の実施の形態例に係るポンプ監視システム１Ａの構成例及び動作例について、図４〜図６を参照して説明する。
【００５７】
図４は、ポンプ監視システム１Ａの全体構成例を示すブロック図である。
ポンプ監視システム１Ａは、上述したポンプ監視システム１と同様の構成としてあるが、モニタ端末４の代わりにベッドサイド端末８を設け、ナースコールシステム７を除いた点が異なる。
【００５８】
第２の実施の形態例に係るポンプ監視サーバ５は、定期的にポンプ２の確認有無を監視するだけであるため、ポンプ２からＮＦＣリーダ部２４が除かれ、ポンプ監視サーバ５からユーザ識別部５６が除かれている。このため、ポンプ制御部２２は、医療従事者によって確認されたポンプ２の状態だけをポンプ監視サーバ５に送信する。そして、サーバ制御部５２はポンプ２から受信したポンプ２の状態だけを、ポンプ２の状態が確認された時間と共に記録部５３に記録する。
【００５９】
ベッドサイド端末８は、患者が収容される病室に設置され、表示端末の一例として用いられる。例えば、患者が寝かせられたベッド脇、又は病室の外に設置される。そして、ベッドサイド端末８は、病室に設置されるポンプ２のレイアウト及びポンプ２の状態を表示する。このため、医療従事者は、ベッドサイド端末８を通じてポンプ２の状態を監視することができる。このベッドサイド端末８は、端末通信部８１、表示部８２、及び入力部８３を備える。
【００６０】
端末通信部８１は、院内ネットワークＮに接続され、院内ネットワークＮから受信したデータを表示部８２に送信する。また、入力部８３から入力されたデータを、院内ネットワークＮを介してポンプ監視サーバ５に送信する。
【００６１】
表示部８２は、端末通信部８１から受信したデータを表示する。この表示部８２には、例えば、液晶ディスプレイが用いられており、個別監視画面Ｄ２（後述する図６を参照。）が表示される。
入力部８３は、医療従事者が確認したポンプ２の情報を入力することができる。表示部８２と入力部８３とは重ね合わせてタッチパネルディスプレイとして用いられる場合もある。
【００６２】
＜ポンプ監視システムの処理例＞
図５は、ポンプ監視システム１Ａの各部の処理例を示すシーケンス図である。図５においても、ポンプ制御部２２をポンプ２と読み替え、サーバ制御部５２をポンプ監視サーバ５と読み替えて説明を行う。
【００６３】
始めに、通常時の処理について説明する。
ポンプ２が、薬剤の送液を開始すると（Ｓ２１）、ポンプ監視サーバ５は、計時部５４にタイマーの計時を開始させる（Ｓ２２）。医療従事者がベッドサイド端末８に赴いて、第１の所定時間内に確認したポンプ２を示す確認ボタン（後述する図６の個別監視画面Ｄ２に表示されるポンプアイコン１２３）を押すと、ベッドサイド端末８は、確認されたポンプを識別するためのポンプ識別情報と、医療従事者のユーザ識別情報とをポンプ監視サーバ５に通知する（Ｓ２３）。
【００６４】
ポンプ監視サーバ５は、ベッドサイド端末８からポンプ識別情報とユーザ識別情報を受信すると、計時部５４にタイマーを解除（リセット）させる（Ｓ２４）。そして、ポンプ監視サーバ５は、ポンプ２に対して、ポンプ２の状態の送信を要求する（Ｓ２５）。
【００６５】
ポンプ２は、医療従事者によってポンプ２が確認された時点でのポンプ２の状態をポンプ監視サーバ５に送信する（Ｓ２６）。ポンプ監視サーバ５は、ポンプ２の状態を受信すると、ポンプ２の状態を、ポンプ２の状態が確認された時間（例えば、ポンプ２の状態を受信した時刻）と共に記録部５３に記録する。そして、ポンプ監視サーバ５は、ポンプ２の状態が正常又は異常であるかどうかを確認する。その後、ポンプ監視サーバ５は、看護支援システム６にポンプ２の状態の確認結果を送信する（Ｓ２７）。看護支援システム６は、確認結果に従って、ナースの巡回通知といった所定の処理を行う。ポンプ２が送液している間、ステップＳ２２〜Ｓ２７の処理が繰り返される。
【００６６】
次に、タイマーのタイムアウト発生時の処理について説明する。
ポンプ２が送液中に、ポンプ監視サーバ５が計時部５４にタイマーの計時を開始させる（Ｓ２８）。ポンプ監視サーバ５は、第１の所定時間内にベッドサイド端末８からポンプ２のポンプ識別情報と医療従事者のユーザ識別情報を受信しなければ、ポンプ２から確認情報を受信できないので、タイマーのタイムアウト発生と判断する（Ｓ２９）。そして、ポンプ監視サーバ５は、ベッドサイド端末８と、ポンプ２のユーザインタフェース部２３にアラームメッセージを表示させる（Ｓ３０，Ｓ３１）。ベッドサイド端末８に表示されるアラームメッセージは、例えば、「ポンプの確認をしてください。」というものであり、ポンプ２のユーザインタフェース部２３に表示されるアラームメッセージは、例えば、「確認してください。」というものである。
【００６７】
図６は、個別監視画面Ｄ２の表示例を示す画面構成図である。
【００６８】
個別監視画面Ｄ２は、ベッドサイド端末８の表示部８２に表示される。個別監視画面Ｄ２は、ポンプレイアウト１２１と、病室選択欄１３１によって構成されている。
【００６９】
ポンプレイアウト１２１には、病室選択欄１３１によって選択された病室に設置されるポンプ２の配置が示されている。この例では、病室に２台の専用架台３が設置されていることがラックアイコン１２２によって示される。そして、ラックアイコン１２２には、ラック名（例えば、Ｒ０２）が示される。さらに、ラックアイコン１２２の中には、専用架台３に装着されているポンプ２を表すポンプアイコン１２３が表示される。各ポンプアイコン１２３には、ポンプ２の識別情報、薬剤名称、投与残り時間１２４、投与済み量又は投与予定量１２５、流量１２６が表示されている。医療従事者が確認したポンプ２に該当するポンプアイコン１２３をタッチすると、タッチされた時点でのポンプ２の状態がポンプ監視サーバ５に送信され、ポンプ監視サーバ５の記録部５３に記録される。
【００７０】
病室選択欄１３１には、各病室の名称と共に、病室選択アイコン１３２が表示されている。この例では、病室名がＩＣＵ０１−１である病室に設置されたポンプ２の状態が示されている。なお、ＩＣＵ０１−１とは別の病室選択アイコン１３２を選択することで、他の病室に設置されたポンプ２の状態をポンプレイアウト１２１に表示させることも可能である。
【００７１】
以上説明した第２の実施の形態例に係るポンプ監視システム１Ａによれば、個別監視画面Ｄ２は、ベッドサイド端末８に表示されるため、医療従事者が病室まで行かなければベッドサイド端末８を操作することができない。このため、医療従事者はポンプ２を確認した後、ベッドサイド端末８に表示される個別監視画面Ｄ２に表示されたポンプアイコン１２３をタッチするようになる。このため、ポンプ監視サーバ５は、ポンプ２が確認された時間を確実に把握することができる。
【００７２】
［３．変形例］
なお、ポンプ監視システム１Ａは、第１の実施の形態例に係るナースコールシステム７を備えておき、医療従事者による巡回が行われなければ、図２のステップＳ１３〜Ｓ１５に示したものと同様のエスカレーションによる通知を行ってもよい。
【００７３】
また、ポンプ監視システム１，１Ａにおいて、ポンプ監視サーバ５が発報するアラームの内容は、ポンプ２の輸液チューブ又はシリンジの外れの他に、ポンプ２の電源異常等であってもよい。これにより医療従事者は、ポンプ２に発生した異常を速やかに知り、所定の対処を行うことができる。
【００７４】
また、医療従事者が所持する携帯端末に表示される情報は、病室番号、アラームに対応付けられたコード番号等であってもよい。
【００７５】
また、ポンプ２に設けられたＮＦＣリーダ部２４が医療従事者のユーザ識別情報を読み取るようにしているが、指紋認証、静脈認証、瞳孔認証等の生体情報をユーザ識別情報として読み取ることが可能な読み取り部をポンプ２又はベッドサイド端末８に設けてもよい。
【００７６】
また、本発明は上述した各実施の形態例に限られるものではなく、請求の範囲に記載した本発明の要旨を逸脱しない限りその他種々の応用例、変形例を取り得ることは勿論である。
例えば、上述した実施の形態例は本発明を分かりやすく説明するために装置及びシステムの構成を詳細且つ具体的に説明したものであり、必ずしも説明した全ての構成を備えるものに限定されるものではない。また、ある実施の形態例の構成の一部を他の実施の形態例の構成に置き換えることは可能であり、さらにはある実施の形態例の構成に他の実施の形態例の構成を加えることも可能である。また、各実施の形態例の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００７７】
１，１Ａ…ポンプ監視システム、２…ポンプ、３…専用架台、４…モニタ端末、５…ポンプ監視サーバ、６…看護支援システム、７…ナースコールシステム、８…ベッドサイド端末、２２…ポンプ制御部、２４…ＮＦＣリーダ部、５２…サーバ制御部、５４…計時部
【図１】
2016152238.tif 000003
【図２】
2016152238.tif 000004
【図３】
2016152238.tif 000005
【図４】
2016152238.tif 000006
【図５】
2016152238.tif 000007
【図６】
2016152238.tif 000008
【国際調査報告】
2016152238.tif 000009
2016152238.tif 000010
2016152238.tif 000011
2016152238.tif 000012